(57)【特許請求の範囲】
【請求項１】
扇ぐことで気流を発生させる扇部と、該扇部に列設され所要角度に屈曲された屈曲部と、該屈曲部から突設された把持部とを有し、前記把持部が屈曲して突設されていることで、ゴルファーが自身を扇ぐと、自然に前腕部を左右にねじる動作となり、反復して扇ぐことで前腕部の筋力が向上するゴルファー用トレーニング団扇であって、前記ゴルファー用トレーニング団扇を構えた状態で、前記把持部側を下側、前記把持部側と反対側を上側、ゴルファー側を内側、ゴルファー側と反対側を外側と呼称するとき、前記扇部の内側縁部が下端部側より上端部側に向かって徐々に斜行拡大した正面視において斜め扇形状のゴルフクラブのフェース面を模した形状からなり、前記扇部の外側縁部近傍に前記扇部の下端部側から前記扇部の上端部側に向かう方向に沿って表示されたソール面矢印と、前記ソール面矢印に直交する方向に沿った方向に表示されたフェース面矢印とを有することを特徴とするゴルファー用トレーニング団扇。
【請求項２】
前記ゴルファー用トレーニング団扇を構えた状態で、前記把持部側を下側、前記把持部側と反対側を上側、ゴルファー側を内側、ゴルファー側と反対側を外側と呼称するとき、前記屈曲部近傍の前記扇部の下端部と前記把持部の上端部との間隙に、手の平を挿入可能となる手の平挿入部と、前記屈曲部より上方の外側所用位置に刻設された人差し指の指掛かりとなる外側刻設部とを有することを特徴とする請求項１に記載のゴルファー用トレーニング団扇。
【請求項３】
前記扇部の表面と裏面とが、色分け、文字またはマークを付し、視覚で確認できることを特徴とする請求項１または請求項２に記載のゴルファー用トレーニング団扇。
【請求項４】
前記把持部の屈曲する部分の屈曲角度が１１５度以上１２５度以下であることを特徴とする請求項１から請求項３いずれか１項に記載のゴルファー用トレーニング団扇。
【請求項５】
前記把持部が円筒形の半割形状で形成され、前記円筒形の内側面にゴルフクラブのグリップ部を沿わせ握ることが出来ることを特徴とする請求項１から請求項４いずれか１項に記載のゴルファー用トレーニング団扇。
【請求項６】
前記把持部がゴルフクラブのグリップゴムを挿入可能な形状に形成されていることを特徴とする請求項１から請求項５いずれか１項に記載のゴルファー用トレーニング団扇。
【請求項７】
前記把持部及び前記屈曲部を一体に形成した把持ユニットと、前記扇部が表面層と裏面層とを貼り合わせて形成され、前記把持ユニットの上端部に前記扇部の下端部が取り付けられていることを特徴とする請求項１から請求項６いずれか１項に記載のゴルファー用トレーニング団扇。
【請求項８】
前記把持部と前記屈曲部と前記扇部を形成する骨部とを一体に形成した扇骨部と、該扇骨部に対して表裏面にそれぞれ貼り合わせる扇部表面シートと、扇部裏面シートとで形成されていることを特徴とする請求項１から請求項６いずれか１項に記載のゴルファー用トレーニング団扇。
【発明の詳細な説明】
【技術分野】
【０００１】
本発明は、ゴルフの練習をするために用いられる練習具に関し、詳しくは、室内などのスペースが少ないところでも、安全にゴルフ理論に則したゴルフの練習とゴルフに必要な筋力強化が可能なゴルファー用トレーニング団扇に関するものである。
【背景技術】
【０００２】
多くのゴルファーが技術を上達する為には、まず基本的なゴルフスイングを習得する必要がある。さらに、その基本的なゴルフスイングを踏まえた上で、クラブフェースをコントロールすること、利き腕と非利き腕の筋力を揃えることも必要となる。
【０００３】
上述したゴルフに必要な要件を習得する為には、ゴルフ理論に則した反復練習と筋力強化が必要となる。さらに、目標に対するスタンス、クラブフェースの向き、ゴルフクラブの位置や向きなど、空間でのイメージを強く意識する空間認識を体得することが重要である。
【０００４】
従来、ゴルフスイングの練習をする際には、本番のラウンドに使用するゴルフクラブ（以下、「ゴルフクラブ」と称する）を使用することが一般的でもあった。しかし、ゴルフクラブを使用すると、シャフト先端部に位置するクラブフェースの向きを、ゴルファー自身がスイング中に確認することは難しいことや、スイングの軌跡が大きく一定のスペースが必要となり、室内では練習しづらいという問題などがあった。
【０００５】
このような問題に対して特許文献１には、一端側にグリップ部（第１）が設けられた第１シャフト体と、さらに、一端側にグリップ部（第２）が設けられた第２シャフト体を所定間隔で略平行に配置するとともに、上記グリップ部（第１）が上記グリップ部（第２）よりも手前側に位置するように各グリップ（第１）、（第２）の位置を上記第１シャフト体と上記第２シャフト体の間で相対偏位させた状態で一体化して構成されたゴルフ練習具が開示されている。
【先行技術文献】
【特許文献】
【０００６】
【特許文献１】特開２０１２−１６５５４号公報
【発明の概要】
【発明が解決しようとする課題】
【０００７】
しかし、特許文献１に記載のゴルフ練習具では、グリップ部を左右の手で把持する方法がゴルフクラブと違うことで、スイング中の左右の手に対する感覚がゴルフクラブと違い、ゴルファーがゴルフクラブのスイングと連動した感覚を得ることができないという問題があった。
【０００８】
本発明は、ゴルフクラブを使用するのと略同じ把持方法で、ゴルフスィングの各ポジションでの目標に対するクラブフェースの向きやゴルフクラブの向きなどを、視覚で確認しながら手の位置、手の向き、手の動き、空間認識を体得することができると共に、前腕の筋力アップに利用できるゴルファー用トレーニング団扇を提供することを目的とする。
【課題を解決するための手段】
【０００９】
本発明は、上記目的を達成するために案出されたものである。詳述するならば、  扇ぐことで気流を発生させる扇部と、該扇部の下端部近傍に列設され所要角度に屈曲された屈曲部と、該屈曲部から突設された把持部とで構成されているものが含まれる。
【００１０】
本発明のゴルファー用トレーニング団扇は、把持部が屈曲して突設されているので、ゴルファーが自身を扇ぐと、自然に前腕部を左右にねじる動作となり、反復して扇ぐことでゴルフスィング中に必要な前腕部の筋力向上が期待できる。さらには、非利き腕の筋力を強化することで左右の前腕部の筋力が均衡し、スイングバランスを整えることができる。
【００１１】
本発明には、前記屈曲部近傍の前記扇部の下端部と前記把持部の上端部との間隙に、手の平を挿入可能となる手の平挿入部と、前記屈曲部より上方の外側所用位置に刻設され、人差し指の指掛かりとなる外側刻設部とで構成されているものが含まれる。
【００１２】
本発明のゴルファー用トレーニング団扇は、外側刻設部を設けたことでゴルファーが把持する際に、人差し指の第一関節と第二関節を屈曲させて所謂ピストルの引き金を引く形状にし、さらに親指の側面と人差し指の内側で扇部の下端部近傍を挟持し、中指、薬指及び小指は把持部を握持すると、左右いずれの手で把持してもゴルフクラブを把持する形と略同じ手の形状となる効果がある。
【００１３】
本発明には、前記扇部の表面と裏面とが色分けすることや、文字またはマークを付すなどして視覚で確認できる構成が含まれる。
【００１４】
本発明のゴルファー用トレーニング団扇は、ゴルファーがゴルファー用トレーニング団扇を把持しゴルフスイングを行うと、ゴルフスイング中のゴルフクラブのフェース向きを視覚で容易に確認できるので、その時々の手首、腕、肘などの動き、向きなどを確認し体得することができる。
【００１５】
本発明には、前記扇部が前記扇部の下端部側より前記扇部の上端部側に向かって内側縁部が徐々に斜行拡大した正面視において斜め扇形状で、ゴルフクラブのフェース面を連想させる形状に形成されている。また、前記扇部の外側縁部近傍に前記扇部の下端部側から上端部側に向かう方向に沿って表示されたソール面矢印と、前記ソール面矢印に直交する方向に沿って表示されたフェース面矢印とを有する構成が含まれる。
【００１６】
本発明のゴルファー用トレーニング団扇は、ゴルフクラブのフェース面を連想させる扇部に矢印を表示することで、構える時やゴルフスイング中の各ポジションでの目標に対するクラブフェースの向きやゴルフクラブの位置や角度を視認することに役立ち、さらに、その時々の手の動きや体の動きを体得することでゴルフスイングの精度が向上する効果が得られる。
【００１７】
本発明には、ゴルフクラブのソールとシャフト軸の中心とで形成される角度に相当する前記屈曲部の屈曲角度が１１５度以上１２５度以下である構成が含まれる。
【００１８】
本発明のゴルファー用トレーニング団扇は、ゴルファーが把持して構えた時や、ゴルフスイング中にゴルフクラブを連想し易い角度に形成されているので、より実際のスイングと連動させて確認できる。
【００１９】
本発明には、前記把持部が円筒形の半割形状で形成され、前記円筒形の内側面にゴルフクラブのグリップ部を沿わせ把持可能な構成が含まれる。
【００２０】
本発明のゴルファー用トレーニング団扇は、ゴルフクラブと共に把持し、スイングすることで、ゴルフクラブのフェース面の向きやゴルフクラブの位置などを扇部で確認し易くなる効果がある。
【００２１】
本発明には、前記把持部がゴルフクラブのグリップゴムを挿入可能な形状であって、例えば、円筒形、円柱形状、もしくは、それらの半割状などに形成されている構成が含まれる。
【００２２】
本発明のゴルファー用トレーニング団扇は、把持部にゴルフクラブのグリップゴムを挿入することでよりゴルフクラブと略同じ感覚で練習することができる。
【００２３】
本発明には、前記把持部と、前記屈曲部と、及び手の平挿入部とを一体に形成した把持ユニットと、前記扇部が自立可能な厚紙や樹脂シートなどからなる表面層と、同じく自立可能な厚紙や樹脂シートなどからなる裏面層とを貼り合わせて形成され、前記把持ユニットの上端側に前記扇部の下端部が取り付けられている構成が含まれる。
【００２４】
本発明のゴルファー用トレーニング団扇は、把持ユニットと扇部をそれぞれ別体で製造し鋲着しているので、大量生産で製造原価を削減できる効果がある。
【００２５】
本発明には、前記把持部と、前記屈曲部と、手の平挿入部と、及び扇部を形成する骨部とを一体に形成した扇骨部と、該扇骨部に対して表裏面にそれぞれ貼り合わせる扇部表面シートと、扇部裏面シートとで形成されている構成が含まれる。
【００２６】
本発明のゴルファー用トレーニング団扇は、扇骨部、扇部表面シート、扇部裏面シートを別々に作成し貼り合わせて作成することで、一般的な団扇同様に大量生産で製造原価を削減できる効果がある。
【発明の効果】
【００２７】
本発明のゴルファー用トレーニング団扇を使用すると、ゴルフクラブを使用するのと略同じ把持方法で、ゴルフスィングの各ポジションでの目標に対するクラブフェースの向きやゴルフクラブの位置を視覚で確認しながら、手の位置、手の向き、手の動きと空間でのイメージである空間認識を体得すると共に、前腕の筋力向上にも利用できる。
【図面の簡単な説明】
【００２８】
【図１】本発明の第１実施形態に係るゴルファー用トレーニング団扇を示す正面図である。
【図２】図１に係るゴルファー用トレーニング団扇の使用状態を示す斜視図である。
【図３】基本的なゴルフスイングの変化状態を示す説明図である。
【図４】フェース面が閉じた使用状態を示す説明図である。
【図５】フェース面が開いた使用状態を示す説明図である。
【図６】本発明の第２実施形態に係るファー用トレーニング団扇を示す正面図である。
【図７】図６に係るゴルファー用トレーニング団扇の使用状態を示す説明図である。
【図８】本発明の第３実施形態に係るゴルファー用トレーニング団扇を示す正面図である。
【図９】本発明の第４実施形態に係るゴルファー用トレーニング団扇を示す正面図である。
【発明を実施するための形態】
【００２９】
以下、本発明の実施形態を図面を参照しながら説明する。ただし、図面は模式的に図示しており、実際の寸法や比率等とは必ずしも一致しない。また、図面相互間において、お互いの寸法の関係や比率が異なる部分が含まれることがある。
なお、本実施形態において、ゴルファーがゴルファー用トレーニング団扇を構えた状態で、扇部の把持部側を下側といい反対側を上側といい、扇部と把持部のゴルファー側を内側といい反対側を外側という。
【００３０】
（第１実施形態）
図１及び図２に示されるように、本実施形態に係るゴルファー用トレーニング団扇１は、扇ぐことで気流を発生させる扇部２と、扇部２の下端部近傍に列設され所要角度に屈曲された屈曲部３と、屈曲部３から突設された把持部４と、扇部２の下端部と把持部４の上端部との間隙に手の平を挿入可能となる手の平挿入部５と、屈曲部３より上方の外側所用位置に刻設され、人差し指の指掛かりとなる外側刻設部６とで形成されている。
【００３１】
また、扇部２は、扇部２の下端部側より扇部２の上端部側に向かって、内側縁部が徐々に斜行し拡大した略斜め扇形状で上端角部２Ｃ，２Ｄを曲線的に面取りし、正面視においてゴルフクラブのフェース面を連想させる形状に成形され、表面２Ａと裏面２Ｂとが色分け、文字、またはマークを付すなどして視覚で確認できるように形成されている。
【００３２】
さらに、扇部２の外側縁部近傍に下端部側から上端部側に向かう方向に沿って表示されているゴルフクラブのソール面を示すソール面矢印７と、ソール面矢印７に直交する方向に沿ってゴルフクラブのフェース面の方向を示すフェース面矢印８とが表示されている。
【００３３】
屈曲部３の屈曲角度θ１は、ゴルフクラブのソール面が水平になる様にして地面に置いた時の、水平な地面とシャフト中心（把持部）が作り出す角であるライ角θ２を、１８０度から減算した角度で形成すれば良い。通常のゴルフクラブは、ライ角が５５度から６５度の範囲にあることが多いことから、ゴルフクラブのソール面とシャフト軸（把持部）中心とで形成される屈曲角度θ１は、１１５度以上１２５度以下で形成すれば良く、さらにはゴルフクラブのライ角θ２の中心値を考慮すると、屈曲角度θ１は１１８度以上１２０度以下で形成するのがさらに好ましい。
【００３４】
ゴルファー用トレーニング団扇１の素材としては、自立可能な厚紙や樹脂シートなど平板状でしなりを有する材料を使用すれば良く、その場合の製造方法としては、素材となる板材などを切削加工にて成形するか、もしくは、金型によるプレス成形で製造しても良い。
【００３５】
次に、本実施形態に係るゴルファー用トレーニング団扇１の使用方法を説明する。
まず、ゴルファー用トレーニング団扇１の把持方法は、図２に示すようにゴルファー１００が、手の平挿入部５に手の平を挿入し、人差し指の第一関節と第二関節を屈曲させ、所謂ピストルの引き金を引く形状にし、外側刻設部６に人差し指を嵌め、さらに親指の側面と人差し指の内側で扇部の下端部近傍を挟持し、中指、薬指、及び小指は把持部４を握持すると、左右どちらの手で把持しても、ゴルフクラブを把持する形と略同じ手の形状で把持することができる。
【００３６】
ゴルファー用トレーニング団扇１の第１の使用方法は、図２に示すように団扇として使用することであり、ゴルファーが自身を扇ぐと前腕部を左右にねじる反復動作（矢印５００）となり、ゴルフスイング中に必要な前腕部の筋力向上が期待できる。さらには、非利き腕の筋力を強化することで、左右の筋力が均衡しスイングバランスを整えることもできる。
【００３７】
次に、第２の使用方法として、室内など狭い空間でゴルフスイング時の各種チェックや手や体の動きを体得する使用方法を説明する。
図３に示すのは、基本のゴルフスイングの変化状態における、ゴルファー用トレーニング団扇１の向くべき状態を順に示したものである。まず、アドレス（ａ）から始まり、バックスイングに入ってハーフウェイバック（ｂ）、さらにハーフトップ（ｃ）、トップ（ｄ）、そして、ダウンスイングに入ってハーフェイダウン（ｅ）、インパクト（ｆ）、フォロースルー（ｇ）、フィニッシュ（ｈ）と変化する。
【００３８】
アドレス（ａ）では、ゴルフボールと目標とを結ぶ線に平行な方向に立ち、扇部２を目標に対して直角に向け構える。この時ソール面は地面と平行にするので、フェース面矢印８が真上を向いていれば良い。
【００３９】
ハーフウェイバック（ｂ）では、略腰の高さに手元が来た状態で、ソール面矢印７が目標と反対方向を向き、フェース面矢印８は真上を向いていれば良い。
【００４０】
ハーフトップ（ｃ）では、左腕が略肩の高さに届いた状態で、親指方向に手首を折る動きとなるように手首を撓屈（以下、「コック」と称する）させることで、ゴルファー１００の前腕部とソール面矢印７が作る角度が９０度となり、フェース面矢印８はゴルファー１００の方向を向けば良い。
【００４１】
トップ（ｄ）では、手首はコックさせたままで、ゴルファー１００の前腕部とソール面矢印７が作る角度が９０度となり、ソール面矢印７が目標方向を向き、フェース面矢印８は真下を向いていれば良い。
【００４２】
ハーフェイダウン（ｅ）では、略腰の高さに手元が戻った状態で、手首はまだコックさせていることから、ハーフウェイバック（ｂ）とは違いソール面矢印７がやや斜め上側に傾いた状態となれば良い。
【００４３】
インパクト（ｆ）では、アドレス（ａ）と略同じ位置に戻ってくるので、扇部２を目標に対して直角に向けて、フェース面矢印８が真上を向いていれば良い。
【００４４】
フォロースルー（ｇ）では、手元が腰の位置に上がった状態で、ソール面矢印７が目標方向を向き、フェース面矢印８が真上を向いていれば良い。
【００４５】
フィニッシュ（ｈ）では、右腕が肩の高さに来た状態で、ソール面矢印７が真上を向きフェース面矢印８がゴルファー１００方向に向いていれば良い。
【００４６】
上述のようにソール面矢印７とフェース面矢印８の方向を確認することで、ゴルフスイングの各変化状態における最適とされるゴルフクラブの位置と向き、ゴルフクラブの角度を視覚で確認しながら、その時々の手の位置、手の向き、手の動きと空間認識を体得することが出来る。
【００４７】
また、ゴルフボールの飛球が左右に曲がる原因として、フェース面の向きが大きく影響していることに注目する必要がある。さらに、ゴルフクラブは長いシャフトが撓ることから、何もコントロールしない場合はインパクト（ｆ）の瞬間、クラブヘッドはグリップに対して遅れて開いた状態で到達することになり目標方向へは飛球しない。そこで、ゴルファー１００は卓球のラケットのように、積極的にフェース面をコントロールする必要がある。例えば、開く、閉じる、立てる、寝かす、保つ、返すなどフェース面をコントロールすることで、ドローボール、スライスボール、高い球、低い球など目標に対する飛球線を意識的に作り出すことが出来る。
【００４８】
図４に示すのは、フェース面が閉じた状態を表していてゴルファー１００の目には裏面２Ｂが見える状態であり、図５に示すのは、フェース面が開いた状態を表していてゴルファー１００の目には表面２Ａが見える状態で、其々の状態を視覚で確認し、さらに其々場合の前腕部や手首の動き、特に、前腕部を左右にねじる動作の感覚を確認しながら体得できる。
【００４９】
（第２実施形態）
図６に示されるように、第２実施形態の本発明は、把持部４が円筒形の半割形状で形成され、把持部４の内側面４Ａにゴルフクラブのグリップ部を沿わせ把持可能に形成されている。さらには、把持部４にゴルフクラブのグリップゴム（図示せず）を挿入可能な形状で、例えば、円筒形、円柱形状、もしくは、それらの半割状などに形成しても良い。
【００５０】
図７に示すのは、本実施形態に係るゴルファー用トレーニング団扇１の使用例である。主に本使用例は、空間認識を養うために行うもので、把持部４の内側面４Ａにゴルフクラブ２００のグリップ部を沿わせ把持し、ボールと目標を結ぶ線に沿わせて配置したゴルフクラブ２０１と、ゴルフクラブ２０１に直交する位置に配置したゴルフクラブ２０２の上部で構え、ゴルファー１００自身が居る空間の中に架空の線をイメージしゴルフスイング中の各変化状態におけるゴルフクラブの位置、向き、角度、フェース面の向きなどを、ゴルファー用トレーニング団扇１使い視覚で確認しながら、手の位置、手の向き、手の動きと空間認識を、より感覚に結びつけやすくなる。
【００５１】
本実施形態に係るゴルファー用トレーニング団扇１の素材としては、自立可能な厚紙や樹脂シートなど平板状でしなりを有する材料を使用すれば良く、その場合の製造方法としては、素材となる板材などを切削加工にて成形し、さらに、金型によるプレス成形で製造すれば良い。
【００５２】
（第３実施形態）
図８に示されるように、本実施形態のゴルファー用トレーニング団扇１は、把持部４と、屈曲部３と、手の平挿入部５とを一体に形成した把持ユニット１０と、扇部２が自立可能な厚紙や樹脂シートなどからなる表面層２Ｆと、同じく自立可能な厚紙や樹脂シートなどからなる裏面層２Ｇとを貼り合わせて形成され、把持ユニット１０の上端部１０Ａに扇部２の下端部２Ｅがリベットなどの留め具１１で取り付けられている。
【００５３】
本実施形態に係る把持ユニット１０の素材としては、樹脂、木材、金属などを使用すれば良く、製造方法としては、切削加工にて成形するか、もしくは、金型によるプレス成形で製造しても良い。
また、扇部２は自立可能な厚紙や樹脂シートなど平板状でしなりを有する材料を使用すれば良く、その場合の製造方法としては、切削加工にて成形するか、もしくは、金型によるプレス成形で製造しても良い。
【００５４】
（第４実施形態）
図９に示されるように、本実施形態のゴルファー用トレーニング団扇１は、把持部４と、屈曲部３と、手の平挿入部５と、扇部を形成する骨部１１Ａとを一体に形成した扇骨部１１と、骨部１１Ａに対して表裏面にそれぞれ扇部表面シート２Ｉと、扇部裏面シート２Ｈとを貼り合わせて形成されている。
【００５５】
本実施形態に係る扇骨部１１の素材としては、樹脂、木材などを使用すれば良く、製造方法としては、切削加工にて成形するか、もしくは、金型によるプレス成形で製造しても良い。
また、表面シート２Ｉと裏面シート２Ｈは、薄手の紙や樹脂シートなど平面状の材料を使用すれば良く、その場合の製造方法としては、切削加工にて成形するか、もしくは、金型によるプレス成形で製造しても良い。
【００５６】
以上のように、本発明を実施するための最良の構成、方法等は、前記記載で開示されているが、本発明はこれに限定されるものではない。
例えば、上記実施形態では、扇部を紙又は樹脂シート等の板状材料で形成したがそれらに限定するものではなく、ゴムなどの樹脂組成物で形成しても良い。
【００５７】
また、上記実施形態では、扇部を正面視略斜め扇形状に面取り加工し形成したが、それに限定するものではなく、例えば、楕円形状や円形状でも良く、特に形状を限定するものではない。
【符号の説明】
【００５８】
１    ゴルファー用トレーニング団扇
２    扇部
２Ａ    表面
２Ｂ    裏面
２Ｃ，２Ｄ    上端角部
２Ｅ    下端部
２Ｆ    表面層
２Ｇ    裏面層
２Ｈ    扇部裏面シート
２Ｉ      扇部表面シート
３    屈曲部
４    把持部
４Ａ    内側面
５    手の平挿入部
６    外側刻設部
７    ソール面矢印
８    フェース面矢印
１０    把持ユニット
１０Ａ    上端部
１１    扇骨部
１１Ａ    骨部
１００    ゴルファー
２００，２０１，２０２    ゴルフクラブ
θ１    屈曲角度
θ２    ライ角
【要約】
【課題】ゴルフクラブを使用するのと略同じ把持方法で、ゴルフスイングの各ポジションでの目標に対するクラブフェースの向きゴルフクラブの位置などを視覚で確認しながら手の位置、手の向き、手の動き、空間認識を体得することができると共に、前腕の筋力アップに利用できるゴルファー用トレーニング団扇を提供することを目的とする。
【解決手段】扇ぐことで気流を発生させる扇部２と、扇部２に所要角度に屈曲された屈曲部３と、屈曲部３に突設された把持部４とで構成されている。
【選択図】図１【図１】
0006886744.tif 000002
【図２】
0006886744.tif 000003
【図３】
0006886744.tif 000004
【図４】
0006886744.tif 000005
【図５】
0006886744.tif 000006
【図６】
0006886744.tif 000007
【図７】
0006886744.tif 000008
【図８】
0006886744.tif 000009
【図９】
0006886744.tif 000010